(57)【要約】【課題】粉体を有機性廃棄物に安定して供給することの容易な粉体供給装置を提供する。【解決手段】粉体供給装置１１は、粉体を収容する容器７１が取り付けられる取付部１２と、粉体が流通する粉体流路１３と、粉体流路１３を開閉する仕切弁１４とを備える。粉体供給装置１１は、粉体流路１３の外部から粉体流路１３へ空気を送る送風部１５をさらに備える。粉体流路１３は、仕切弁１４から鉛直下方に向かって延びる下側粉体流路３２を含むことが好ましい。粉体供給装置１１は、粉体流路１３を加振する加振部２０をさらに備えることが好ましい。【選択図】図１
2014177342.tif 000002
【特許請求の範囲】
【請求項１】
有機性廃棄物に粉体を供給する粉体供給装置であって、
前記粉体を収容する容器が取り付けられる取付部と、前記粉体が流通する粉体流路と、前記粉体流路を開閉する開閉弁と、前記粉体流路の外部から前記粉体流路へ空気を送る送風部とを備えることを特徴とする粉体供給装置。
【請求項２】
前記粉体流路は、前記開閉弁から鉛直下方に向かって延びる下側粉体流路を含むことを特徴とする請求項１に記載の粉体供給装置。
【請求項３】
前記粉体流路を加振する加振部をさらに備えることを特徴とする請求項１又は請求項２に記載の粉体供給装置。
【請求項４】
前記有機性廃棄物として厨房の排水に前記粉体を供給することを特徴とする請求項１から請求項３のいずれか一項に記載の粉体供給装置。
【発明の詳細な説明】
【技術分野】
【０００１】
本発明は、有機性廃棄物に粉体を供給する粉体供給装置に関する。
【背景技術】
【０００２】
従来、有機成分の分解を促進する微生物製剤を排水に供給する装置が知られている。特許文献１に開示される装置では、微生物製剤等が搬送水とともに収容される容器を備え、容器内の微生物製剤等はポンプにより吸い上げられて排水と混合される。
【先行技術文献】
【特許文献】
【０００３】
【特許文献１】特開平１０−１２８３８６号公報
【発明の概要】
【発明が解決しようとする課題】
【０００４】
ところで、微生物製剤等の粉体を排水等の有機性廃棄物に供給することは、上記特許文献１のように微生物製剤等を搬送水とともに供給するよりも、微生物製剤等を収容した容器の輸送コストや所定量の搬送水を加える手間を省くという観点から有利である。ところが、有機性廃棄物に粉体を供給する粉体供給装置では、例えば、有機性廃棄物から生じる湿気の影響を受け易くなる。すなわち、粉体流路が湿気の影響を受けることで、粉体の流動性の低下を招く結果、粉体の供給が不安定になり易くなる。
【０００５】
本発明は、こうした実情に鑑みてなされたものであり、その目的は、粉体を有機性廃棄物に安定して供給することの容易な粉体供給装置を提供することにある。
【課題を解決するための手段】
【０００６】
上記課題を解決する粉体供給装置は、有機性廃棄物に粉体を供給する粉体供給装置であって、前記粉体を収容する容器が取り付けられる取付部と、前記粉体が流通する粉体流路と、前記粉体流路を開閉する開閉弁と、前記粉体流路の外部から前記粉体流路へ空気を送る送風部とを備える。
【０００７】
この構成によれば、粉体流路の外部から粉体流路へ空気が送られることで、粉体流路における湿気の滞留が抑制される。
上記粉体供給装置において、前記粉体流路は、前記開閉弁から鉛直下方に向かって延びる下側粉体流路を含むことが好ましい。
【０００８】
この構成によれば、粉体は鉛直下方へ流動し易いため、開閉弁を通じた粉体は、より円滑に有機性廃棄物へ供給されるようになる。本出願において、粉体流路が下側粉体流路を含むとは、予め下側粉体流路を備えた粉体供給装置に限定されるものではなく、同装置の設置の際に下側粉体流路が接続される態様、すなわち設置方法を規定した粉体供給装置を含む。
【０００９】
上記粉体供給装置において、前記粉体流路を加振する加振部をさらに備えることが好ましい。
この構成によれば、粉体流路の振動によって粉体の流動が安定化される。
【００１０】
上記粉体供給装置は、前記有機性廃棄物として厨房の排水に前記粉体を供給することが好ましい。厨房では温水を用いることがあるため、この排水に粉体を供給する粉体供給装置では、排水から生じる湿気の影響を受け易くなる。こうした環境下において、上記送風部を備えた粉体供給装置の使用は、粉体流路における湿気の滞留を抑制する点で特に有利である。
【発明の効果】
【００１１】
本発明によれば、粉体を有機性廃棄物に安定して供給することが容易となる。
【図面の簡単な説明】
【００１２】
【図１】実施形態における粉体供給装置の設置状態を示す概略図である。
【図２】粉体供給装置の要部を示す概略図である。
【図３】（ａ）は容器の口部を示す断面図であり、（ｂ）は容器を開封した状態を説明する説明図である。
【図４】（ａ）は封止具を示す斜視図であり、（ｂ）はその断面図であり、（ｃ）は封止具の変更例を示す断面図である。
【発明を実施するための形態】
【００１３】
以下、粉体供給装置の一実施形態について図１及び図２を参照して説明する。
図１に示すように、粉体供給装置１１は、厨房の排水に粉体を供給する用途に用いられる。粉体供給装置１１は、粉体を収容する容器７１が取り付けられる取付部１２と、粉体が流通する粉体流路１３と、粉体流路１３を開閉する仕切弁１４と、粉体流路１３の外部から粉体流路１３へ空気を送る送風部１５とを備える。
【００１４】
＜取付部＞
取付部１２は、容器本体７２の口部７３が挿入される挿入孔２１を有している。挿入孔２１には、取付溝２２が周方向に沿って延設され、この取付溝２２には、口部７３と取付部１２との間をシールするＯリング８３が係止される。挿入孔２１の内底部分には、容器７１を開封するための突起２３が設けられている。この突起２３は、挿入孔２１の内壁を架橋するように連結する突起支持部２４に支持されている。なお、取付部１２は、台座部１６に設けられている。
【００１５】
＜粉体流路＞
粉体流路１３は、取付部１２から仕切弁１４まで粉体を流通させる上側粉体流路３１と仕切弁１４から下方に延びる下側粉体流路３２とを有する。上側粉体流路３１は、取付部１２と仕切弁１４とを連結する連結部１７に形成されている。上側粉体流路３１は、取付部１２から鉛直下方に向かって延設されている。本実施形態のように上側粉体流路３１の内径寸法を部分的に縮径することで粉体の流通速度を調整されてもよい。
【００１６】
下側粉体流路３２は、仕切弁１４から鉛直下方に向かって延設されている。下側粉体流路３２は、仕切弁１４に接続される管体接続部１８、及び管体接続部１８に接続される直管部１９ａに形成されている。下側粉体流路３２は、排水が流入される流入口３３を有している。この流入口３３には、上方へ向けて延びる傾斜流路９１が連通されている。こうした傾斜流路９１は、直管部１９ａに接続される分岐部１９ｂに形成されている。本実施形態では、直管部１９ａと分岐部１９ｂとが一体に形成されたＹ字管１９を用いている。Ｙ字管１９は、管体接続部１８に、例えばねじで締め付け固定される。
【００１７】
＜仕切弁＞
仕切弁１４は、水平方向に沿って往復動可能な仕切弁本体４１と、仕切弁本体４１を支持する弁支持部４２とを有する。弁支持部４２は、仕切弁本体４１を上下から挟み込むように配置される上側弁支持部４３と下側弁支持部４４とから構成される。
【００１８】
上側弁支持部４３には、上下に貫通する上側流通孔４５ａが形成され、この上側流通孔４５ａには上側粉体流路３１を通じた粉体が流入される。
下側弁支持部４４には、仕切弁本体４１の往復動を案内する案内溝４６が形成されている。案内溝４６には、下側流通孔４５ｂが上側流通孔４５ａと対向する位置に形成されている。なお、図示を省略するが、上側弁支持部４３には、仕切弁本体４１との間をシールするＯリングが上側流通孔４５ａを取り囲むように設けられている。下側弁支持部４４についても同様に、仕切弁本体４１との間をシールするＯリングが下側流通孔４５ｂを取り囲むように設けられている。なお、少なくとも一方のＯリングは省略されてもよい。
【００１９】
仕切弁本体４１はラックを有し、弁開閉用モータＭ１に設けられたピニオンの回転駆動で往復動される。すなわち、仕切弁１４はラックアンドピニオン機構により動作する。
図２に示すように、仕切弁本体４１は弁貫通孔４７を有し、仕切弁１４の開放状態では、上側流通孔４５ａと下側流通孔４５ｂとが弁貫通孔４７を介して連通される。
【００２０】
＜送風部＞
図１に示すように、送風部１５は、回転翼を有するファンモータＭ２と空気流路５１とから構成される。ファンモータＭ２は、粉体流路１３の外部の空気を取り込むとともに、空気流路５１へ空気を送る。仕切弁１４の閉鎖状態における空気流路５１は、上側弁支持部４３に形成される上側空気流路５２、下側弁支持部４４に形成される下側空気流路５３、及び上側空気流路５２と下側空気流路５３とを連通するように配置される弁貫通孔４７を含む。そして、下側空気流路５３は、下側流通孔４５ｂに連通されることで、下側粉体流路３２に空気を送る。
【００２１】
図２に示すように、仕切弁１４が開放状態になると、上側空気流路５２と下側空気流路５３とは案内溝４６によって連通される。すなわち、仕切弁１４の開放状態における空気流路５１は、上側空気流路５２、案内溝４６、及び下側空気流路５３を含む。
【００２２】
なお、本実施形態のように、空気流路５１は粉体流路１３の下流側へ向けて空気が吹き出されるように延設されて粉体流路１３に開口されることが好ましい。
送風部１５は、例えば、仕切弁本体４１が開放位置へ向かう移動を開始してから閉鎖位置まで移動するまで空気を送るように制御されてもよいし、常時空気を送るように設定されてもよい。
【００２３】
＜加振部＞
図１に示すように、粉体供給装置１１は、粉体流路１３を加振する加振部２０をさらに備えている。加振部２０の具体例は、特に限定されず、例えば、振動モータ、超音波振動子等により構成することができる。
【００２４】
本実施形態の加振部２０は、台座部１６に固定される振動モータＭ３から構成されている。振動モータＭ３は、シャフトに偏心して取り付けられた分銅を備えている。
＜制御部＞
弁開閉用モータＭ１、ファンモータＭ２及び振動モータＭ３は、制御部６１に電気的に接続されている。制御部６１にはタイマが内蔵され、例えば、各モータの駆動時間、タイミング等を制御する。例えば、仕切弁１４を開放する時刻、開放状態の継続時間は、制御部６１によって制御される。また、制御部６１を用いて、仕切弁１４を開放するタイミングに応じてファンモータＭ２や振動モータＭ３を作動させるようにしてもよい。なお、ファンモータＭ２又は振動モータＭ３は、断続的に作動されてもよいし、常時作動されてもよい。
【００２５】
＜粉体供給装置の設置＞
本実施形態の粉体供給装置１１は、厨房に設けられた流し台の下のスペースに設置される。粉体供給装置１１は、流し台からの排水が傾斜流路９１に流入されるように配管される。粉体供給装置１１は、例えば、台座部１６に支持脚を設けることで支持させてもよい。
【００２６】
粉体供給装置１１の下流側には、グリストラップ９２が設置されている。すなわち、傾斜流路９１から流入口３３を通じて流入した排水は、例えば側溝を介してグリストラップ９２へ流入される。グリストラップ９２では、排水中に含まれる油脂分が浮上分離されることで、グリストラップ９２よりも下流側における油脂分の流出が抑制される。
【００２７】
＜容器＞
次に、容器７１の一実施形態について図３及び図４を参照して説明する。
図３（ａ）に示すように、取付部１２に取り付けられる前の容器本体７２は、口部７３の先端部を覆う封止部８２により封止されている。なお、容器本体７２は、軽量化の観点から樹脂系材料から形成されることが好ましい。また、容器本体７２の一部又は全体は、収容されている粉体が視認可能な透明性を有することが好ましい。
【００２８】
図３（ｂ）に示すように、封止部８２は、容器７１が取付部１２に取り付けられる際に、突起２３に向けて押圧されることにより破断される。このように封止部８２は、突起２３の押圧で破断し得るように構成されることで、容器７１の取り付けの際に開封される。本実施形態の封止部８２は、ゴム系材料から構成され、その収縮力に抗して張設される。ゴム系材料としては、例えば、天然又は合成ゴムや各種エラストマーが挙げられる。ゴム系材料には各種添加剤が含有されていてもよい。
【００２９】
図４（ａ）及び図４（ｂ）に示すように、本実施形態では、封止部８２とＯリング８３と一体となった封止具８１が口部７３に装着される。Ｏリング８３は、封止部８２と同様にゴム系材料から構成され、封止部８２の外周を取り囲むように封止部８２に一体化されている。図３（ａ）及び図３（ｂ）に示すように、Ｏリング８３は、口部７３の外周面に形成された係止溝７４に係止される。なお、図４（ｃ）に示すように、装着前の封止具８１において封止部８２は弛みを有していてもよい。
【００３０】
容器７１に収容される粉体としては、環境保護の観点から、微生物製剤が好適に用いられる。微生物製剤は、市販品から適宜選択して用いることができる。微生物製剤の機能としては、例えば、油脂分解機能、洗浄機能、及び消臭機能が挙げられる。なお、粉体として、微生物製剤以外の粉体を用いてもよい。微生物製剤以外の粉体としては、天然又は合成の機能剤であり、例えば、洗浄剤、消臭剤、殺菌剤、害虫忌避剤、及び殺虫剤が挙げられる。こうした粉体は、単独種を用いてもよいし、複数種を組み合わせて用いてもよい。また、粉体には、例えば、分散剤、賦形剤、消泡剤等の添加剤が含まれていてもよい。
【００３１】
こうした粉体を収容した容器７１は、複数準備されることが好ましい。この場合、粉体供給装置１１に装着した容器７１内の粉体を使い切った際には、容器７１を交換することで粉体供給装置１１に粉体を補充することができる。なお、粉体を使い切った容器７１を粉体供給装置１１から取り外し、その容器７１に粉体を直接補充することもできる。
【００３２】
＜粉体供給装置の使用状態＞
次に、粉体供給装置１１の使用状態を作用とともに説明する。
図１に示すように、粉体供給装置１１の使用状態では、粉体を収容した容器７１が取付部１２に取り付けられる。このとき、粉体は、上側粉体流路３１から上側流通孔４５ａへ流入する。上側流通孔４５ａから下側流通孔４５ｂへの粉体の流入は、仕切弁本体４１によって抑止されている。そして、例えば、予め設定された所定の時刻になったとき、弁開閉用モータＭ１の作動により仕切弁本体４１が移動され、仕切弁１４は開放状態とされる。
【００３３】
図２に示すように、仕切弁１４が開放状態になると、上側流通孔４５ａと下側流通孔４５ｂとは弁貫通孔４７を介して連通し、上側流通孔４５ａから下側流通孔４５ｂへ粉体が流通する。続いて、例えば仕切弁１４が開放状態とされてから所定時間経過したとき、弁開閉用モータＭ１の作動により仕切弁本体４１が移動され、仕切弁１４は再び閉鎖状態とされる。
【００３４】
以上のように粉体供給装置１１は、断続的に粉体を供給することができる。こうした粉体供給装置１１は、送風部１５を備えるため、粉体流路１３における湿気の滞留が抑制される。例えば、仕切弁１４の開放状態において粉体流路１３に空気が送られることで、粉体流路１３を逆流する湿気と粉体との接触が抑制されるとともに、粉体流路１３の乾燥が促進される。また例えば、仕切弁１４の閉鎖状態において粉体流路１３に空気が送られることで、粉体流路１３の内壁における結露の発生が抑制されるとともに、粉体流路１３の乾燥が促進される。
【００３５】
さらに、本実施形態の空気流路５１は、仕切弁１４の閉鎖状態では、図１に示すように弁貫通孔４７を含む流路である一方で、仕切弁１４の開放状態では、図２に示すように案内溝４６を含む流路となる。このように仕切弁本体４１の位置に応じて異なる空気流路５１が形成される。仕切弁１４の閉鎖状態では、送風部１５により送られる空気によって、例えば、弁貫通孔４７及びその周囲を乾燥させたり、弁貫通孔４７及びその周囲に付着した粉体を除去したりすることが可能である。一方、仕切弁１４の開放状態では、送風部１５により送られる空気によって、案内溝４６を乾燥させたり、案内溝４６に付着した粉体を除去したりすることが可能である。
【００３６】
こうした粉体供給装置１１を用いて、例えば微生物製剤を排水に供給することで、側溝等の排水路に付着した有機成分やグリストラップ９２で分離された有機成分の分解が促進される。また、有機成分に基づく臭気を抑制することも可能である。厨房の排水は有機成分として油脂分を含むため、少なくとも油脂分の分解を促進する微生物製剤が好適に用いられる。
【００３７】
本実施形態によって発揮される効果について、以下に記載する。
（１）粉体供給装置１１は、取付部１２、粉体流路１３、仕切弁１４、及び送風部１５を備えている。この構成によれば、粉体流路１３の外部から粉体流路１３へ空気が送られることで、粉体流路１３における湿気の滞留が抑制される。これにより、粉体の流動性が維持され易くなるため、粉体を排水に安定して供給することが容易となる。従って、例えば、仕切弁１４の開閉を繰り返して、所定量の粉体を断続的に供給する際に、その供給毎の供給量のばらつきが抑制される。すなわち、粉体の供給精度を高めることが可能となる。
【００３８】
（２）粉体流路１３は、仕切弁１４から鉛直下方に向かって延びる下側粉体流路３２を含む構成とされている。この構成によれば、粉体は鉛直下方へ流動し易いため、仕切弁１４を通じた粉体は、より円滑に排水へ供給される。
【００３９】
（３）粉体供給装置１１は、粉体流路１３を加振する加振部２０（振動モータＭ３）をさらに備える。この構成によれば、粉体流路１３の振動によって粉体の流動が安定化される。これにより、粉体を排水に安定して供給することがさらに容易となる。
【００４０】
（４）粉体供給装置１１は、厨房の排水に粉体を供給する。ここで、厨房では温水を用いることがあるため、この排水に粉体を供給する粉体供給装置１１では、排水から生じる湿気の影響を受け易くなる。こうした環境下において、上記送風部１５を備えた粉体供給装置１１の使用は、粉体流路１３における湿気の滞留を抑制する点で特に有利である。
【００４１】
（５）下側粉体流路３２には、排水から生じる湿気が充満し易く、結露が生じ易い。この点、本実施形態の空気流路５１は、下側粉体流路３２に連通されているため、結露が生じ易い箇所を優先して乾燥できる点で有利である。なお、排水が温水である頻度が高い場合といった下側粉体流路３２に湿気が特に充満し易い使用条件の場合には、送風部１５によって常時空気を送ることで粉体を排水に安定して供給することがさらに容易となる。
【００４２】
（６）送風部１５の有する空気流路５１は、仕切弁１４の開放状態では案内溝４６を含む一方で、仕切弁１４の閉鎖状態では弁貫通孔４７を含む構成とされている。この構成によれば、送風部１５によって送られる空気により、案内溝４６や弁貫通孔４７の乾燥を促進させたり、案内溝４６や弁貫通孔４７に付着した粉体を除去したりすることが可能である。従って、例えば、案内溝４６に付着した粉体が除去されることで、仕切弁本体４１の移動が円滑に行われる。また例えば、弁貫通孔４７への粉体の付着が抑制されることで、粉体を排水に安定して供給することがさらに容易となる。
【００４３】
（７）下側粉体流路３２は、排水が流入される流入口３３を有している。この流入口３３には上方に向けて延びる傾斜流路９１が連通される。この場合、下側粉体流路３２において排水が流入される位置を予め設定することができる。
【００４４】
（８）粉体供給装置１１は、直管部１９ａと分岐部１９ｂとが一体に形成されたＹ字管１９を備える。これにより、粉体供給装置１１の排水系への接続が容易となる。
（９）粉体として、排水に含まれる有機成分の分解を促進する微生物製剤を用いることで、例えばグリストラップ９２の清掃の手間を軽減したり、有機成分に基づく臭気を抑制したりすることが可能である。
【００４５】
（１０）取付部１２は、口部７３を封止する封止部８２を破断させて容器７１を開封する突起２３を備えている。この場合、容器７１を取付部１２に取り付ける際に、容器７１の開封も行うことができるため、容器７１を取り付ける際の粉体の飛散を抑制することができる。従って、粉体供給装置１１に粉体を補充する作業を円滑に行うことができる。
【００４６】
（１１）封止具８１は、封止部８２とＯリング８３とを有し、ゴム系材料から形成されている。封止部８２は、その収縮力に抗して口部７３の先端部を覆うように設けられる。この構成によれば、Ｏリング８３の装着とともに封止部８２の装着を行うことができる。そして、封止部８２は、突起２３により破断されるとＯリング８３へ向かって収縮する。ここで、口部７３の先端に破断後の封止部８２が存在すると、粉体の流出が妨げられる。この点、封止部８２は、破断とともに収縮するため、口部７３の先端に残留し難くなる。これにより、粉体をより安定して流出させることができる。
【００４７】
（１２）口部７３は係止溝７４を有するため、封止具８１の装着に際して、封止具８１の位置決めが容易となる。従って、封止部８２の収縮力に抗した装着を容易に行うことができる。また、封止具８１が装着された容器７１では、Ｏリング８３が係止溝７４に保持されることで、封止具８１の口部７３からの脱離が抑制される。また、Ｏリング８３が係止溝７４に保持されることで、封止部８２の破断の際には、Ｏリング８３へ向けた封止部８２の収縮が促進される。このように係止溝７４は、口部７３から粉体を安定して流出させる点でも有利である。
【００４８】
（変更例）
なお、前記実施形態を次のように変更して構成することもできる。
・前記下側粉体流路３２は、流入口３３を有しているが、この流入口３３を省略してもよい。すなわち、下側粉体流路３２の下端に、排水を流通する流路が連なるように粉体供給装置１１を設置されてもよい。
【００４９】
・前記粉体供給装置１１は、Ｙ字管１９を備えているが、別途Ｙ字管１９を準備して設置されてもよい。すなわち、前記粉体供給装置１１は、下側粉体流路３２を予め備えているが、別途下側粉体流路３２を準備して設置されてもよい。
【００５０】
・前記上側粉体流路３１及び下側粉体流路３２の少なくとも一方は、鉛直下方に対して傾斜するとともに自重や加振によって粉体が流動し得る流路に変更されてもよい。
・前記空気流路５１は、仕切弁１４を貫通しているが、仕切弁１４を回避するように形成した空気流路に変更されてもよい。
【００５１】
・前記空気流路５１は、上側粉体流路３１に空気を送る空気流路に変更されてもよい。この場合であっても、仕切弁１４の開放状態で上側粉体流路３１に空気を送ることで、粉体流路１３における湿気の滞留が抑制される。
【００５２】
・前記送風部１５から常時空気を送る場合、例えば、仕切弁１４の閉鎖状態では仕切弁１４の開放状態よりも出力を低減するように制御されてもよい。
・前記案内溝４６は、下側弁支持部４４に形成されているが、上側弁支持部４３に形成されてもよいし、上側弁支持部４３と下側弁支持部４４との両方に形成されてもよい。
【００５３】
・前記仕切弁本体４１は、粉体流路１３に対して直交する方向に沿って往復動されているが、粉体流路１３に対して傾斜する方向に沿って往復動されるように変更することもできる。また、仕切弁本体４１は、送りねじ機構により往復動されるように変更されてもよい。
【００５４】
・前記実施形態では、開閉弁として仕切弁１４を採用しているが、この仕切弁１４は、例えばバタフライ弁、ロータリー弁等に変更されてもよい。また、開閉弁は、電動弁に限らず、電磁弁であってもよい。
【００５５】
・前記加振部２０を設けずに粉体供給装置を構成されてもよい。
・前記制御部６１の代わりに、スイッチの手動操作で仕切弁１４、送風部１５等が作動される構成を採用されてもよい。
【００５６】
・前記取付部１２には、突起２３が設けられているが、突起２３を省略し、予め開封した容器７１を取付部１２に取り付けてもよい。
・前記取付部１２には、一つの突起２３が設けられているが、複数の突起２３を設けてもよい。突起２３の形状についても、封止部８２を破断し得る形状であれば特に限定されない。
【００５７】
・封止部８２は、例えば、アルミ箔等の金属箔、和紙、洋紙等の紙、樹脂系フィルム又はシート等から形成することで、突起２３の押圧で破断し得るように構成されてもよい。また、封止部８２は、単独種の材料から構成されてもよいし、複数種の材料を組み合わせて構成されてもよい。また、封止部８２は、突起２３の押圧による破断を促進する薄肉部を有していてもよい。
【００５８】
・Ｏリング８３は省略されてもよい。この場合、封止部８２は、例えば接着や溶着で口部７３に固定することができる。
・前記粉体供給装置１１は、流し台の下のスペースに設置されるが、例えば、側溝の上方やグリストラップ９２の上方に設置されてもよい。但し、側溝やグリストラップ９２の清掃作業の妨げとならないように、流し台の下のスペースに設置されることが好ましい。
【００５９】
・前記粉体供給装置１１は、厨房の排水に粉体を供給する用途に用いられるが、厨房以外の各種排水に粉体を供給する用途に用いることもできる。さらに、粉体供給装置１１は、排水以外の有機性廃棄物に粉体を供給する用途に用いることもできる。排水以外の有機性廃棄物としては、例えば、生ごみ、落ち葉、糞尿等が挙げられる。
【００６０】
次に、上記実施形態及び変更例から把握できる技術的思想について以下に記載する。
（イ）前記粉体供給装置において、前記開閉弁は、前記粉体流路の流れ方向に対して交差する方向に沿って往復動可能な仕切弁本体と、前記仕切弁本体の前記往復動を案内する案内溝を有する弁支持部とを備える仕切弁であり、前記仕切弁本体は、前記仕切弁の開放状態において前記粉体流路となる弁貫通孔を有し、前記送風部の有する空気流路は、前記仕切弁の開放状態では前記案内溝を含む一方で、前記仕切弁の閉鎖状態では前記弁貫通孔を含む構成とされている粉体供給装置。
【００６１】
（ロ）前記粉体供給装置において、前記有機性廃棄物は厨房の排水であり、前記下側粉体流路は、前記排水が流入される流入口を有する構成、又は、前記下側粉体流路の下端に前記排水を流通する流路が連なる設置態様とされる粉体供給装置。
【００６２】
（ハ）前記粉体供給装置において、前記取付部は、前記容器の有する口部を封止する封止部を破断させて前記容器を開封する突起を備える粉体供給装置。
（ニ）前記粉体供給装置に用いられる容器であって、容器本体と、前記容器本体の有する口部を封止する封止部とを備え、前記封止部は、前記口部の外周に設けられるＯリングと一体とされた封止具として前記口部に装着され、前記封止具はゴム系材料から構成され、前記封止部は、その収縮力に抗して前記口部の先端部を覆うように設けられた容器。
【符号の説明】
【００６３】
１１…粉体供給装置、１２…取付部、１３…粉体流路、１４…仕切弁（開閉弁）、１５…送風部、２０…加振部、３２…下側粉体流路、７１…容器。
【図１】
2014177342.tif 000003
【図２】
2014177342.tif 000004
【図３】
2014177342.tif 000005
【図４】
2014177342.tif 000006